(57)【要約】【課題】少なくとも３つの筐体が３段重ねに配備されると共に、互いにスライドが可能に係合するスライド式小型電子機器において、第１筐体の表面に設けられている入力部及び／又は出力部と、第２筐体の表面に設けられている入力部及び／又は出力部とを、容易な操作で選択的に露出させる。【解決手段】本発明に係るスライド式小型電子機器において、第１筐体１と第２筐体２の間のスライドに対する抵抗力は、第２筐体２と第３筐体３の間のスライドに対する抵抗力よりも大きく設定されると共に、第２筐体２と第３筐体３との間には、両筐体が互いに最大の重なり面積で重なり合った閉じ状態で両筐体を一体移動可能に互いに連結する押し子７が配備されている。【選択図】図１０
2010199960.tif 000002
【特許請求の範囲】
【請求項１】
少なくとも３つの筐体を具えて、下段に第１筐体、中段に第２筐体、上段に第３筐体が配備されると共に、これら３つの筐体は互いに同一方向に沿うスライドが可能に係合し、各筐体の表面には、それぞれ入力部及び／又は出力部が設けられているスライド式小型電子機器において、
第１筐体と第２筐体の間のスライドに対する抵抗力は、第２筐体と第３筐体の間のスライドに対する抵抗力よりも大きく設定されると共に、
第２筐体と第３筐体との間には、両筐体が互いに最大の重なり面積で重なり合った閉じ状態で両筐体を一体移動可能に互いに連結する連結機構が配備されると共に、第３筐体には、前記連結機構を動作させる際に操作すべき操作部が設けられていることを特徴とするスライド式小型電子機器。
【請求項２】
前記連結機構は、第３筐体に配備されて第２筐体に対して接近離間する方向に往復移動が可能な押し子と、該押し子を第２筐体から離間させる方向に付勢する付勢手段と、第２筐体の表面に形成されて前記押し子の第２筐体側の端部が係脱可能な係合受け部とから構成され、該押し子の表面は第３筐体の表面に露出して、前記操作部を構成している請求項１に記載のスライド式小型電子機器。
【請求項３】
第１筐体と第２筐体との間に第１のスライド機構が介在すると共に、第２筐体と第３筐体との間に第２のスライド機構が介在し、各スライド機構は、互いにスライド可能に係合する一対のスライド板と、両スライド板の間に介在するバネとから構成され、第１のスライド機構のバネは、第２のスライド機構のバネよりも、大きな弾性係数を有している請求項１乃至請求項３の何れかに記載のスライド式小型電子機器。
【発明の詳細な説明】
【技術分野】
【０００１】
本発明は、少なくとも３つの筐体が３段重ねに配備されたスライド式小型電子機器に関するものである。
【背景技術】
【０００２】
従来、２つの筐体を上下２段に配備し、下段の筐体の表面には複数の操作キーを配備し、上段の筐体の表面にはディスプレイを配備したスライド式の携帯電話機が普及している。
この様なスライド式電話機においては、下段の筐体を保持した状態で上段の筐体を一方向へ押圧することによって、上段の筐体をスライドさせて、前記複数の操作キーを操作可能に露出させることが出来る。
【０００３】
しかしながら、下段の筐体の表面には、限られた領域に、数字入力用の操作キーと文字入力の操作キーを含む多数の操作キーを配備する必要があるため、各操作キーの大きさが小さくなって、操作が困難となる問題があった。
【０００４】
そこで、図１３に示す様に、下段に第１筐体(９)、中段に第２筐体(91)、上段に第３筐体(92)を配備し、第１筐体(９)の表面にはテンキー(93)を設け、第２筐体(91)の表面にはキーボード(94)を設け、第３筐体(92)の表面にはディスプレイ(95)を設けた携帯電話機が提案されている(特許文献１)。
【０００５】
該携帯電話機においては、第１筐体(９)を保持した状態で第２筐体(91)を押圧することによって第２筐体(91)をＳ方向にスライドさせ、更に、第３筐体(92)をＺ軸回りに１８０度回転させることによって、第１筐体(９)のテンキー(93)と、第２筐体(91)のキーボード(94)と、第３筐体(92)のディスプレイ(95)とを表面に露出させることが出来る。
【０００６】
該携帯電話機によれば、第１筐体(９)の表面と第２筐体(91)の表面に亘って必要数の操作キーを配備することが出来るので、各操作キーの大きさを拡大することが可能である。
【先行技術文献】
【特許文献】
【０００７】
【特許文献１】特開２００７−１７９５２５号公報
【発明の概要】
【発明が解決しようとする課題】
【０００８】
ところが、図１３に示す携帯電話機においては、第２筐体(91)をＳ方向にスライドさせる操作と、第３筐体(92)をＺ軸回りに回転させる操作という、操作方向の異なる２つの操作が必要となるため、操作性が悪い問題があった。
【０００９】
仮に、３つの筐体(９)(91)(92)を同一方向(Ｓ方向)に沿ってスライド可能に配備すれば、テンキー(93)を露出させるために第２筐体(91)をスライドさせる操作と、キーボード(94)を露出させるために第３筐体(92)をスライドさせる操作とが、同一方向(Ｓ方向)となって、操作性は良好なものとなる。
しかしながら、３つの筐体(９)(91)(92)が互いに最大の重なり面積で重なり合った閉じ状態から、第３筐体(92)の表面に指を押し当てて、第３筐体(92)を一方向へ押圧した場合、第３筐体(92)のみがスライドしたり、第３筐体(92)が第２筐体(91)と共にスライドしたりすることがあり、キーボード(94)とテンキー(93)の何れか一方のみを選択的に露出させることが困難である問題が生じる。
【００１０】
そこで本発明の目的は、第１筐体の表面に設けられている入力部及び／又は出力部と、第２筐体の表面に設けられている入力部及び／又は出力部とを、選択的に露出させる操作が容易な、スライド式小型電子機器を提供することである。
【課題を解決するための手段】
【００１１】
本発明に係るスライド式小型電子機器は、少なくとも３つの筐体(１)(２)(３)を具えて、下段に第１筐体(１)、中段に第２筐体(２)、上段に第３筐体(３)を配備し、これら３つの筐体(１)(２)(３)は互いに同一方向に沿うスライドが可能に係合し、各筐体の表面には、それぞれ入力部及び／又は出力部が設けられている。
ここで、第１筐体(１)と第２筐体(２)の間のスライドに対する抵抗力は、第２筐体(２)と第３筐体(３)の間のスライドに対する抵抗力よりも大きく設定されると共に、
第２筐体(２)と第３筐体(３)との間には、両筐体(２)(３)が互いに最大の重なり面積で重なり合った閉じ状態で両筐体(２)(３)を一体移動可能に互いに連結する連結機構が配備されると共に、第３筐体(３)には、前記連結機構を動作させる際に操作すべき操作部が設けられている。
【００１２】
上記本発明に係るスライド式小型電子機器によれば、第１筐体(１)の表面に設けられている入力部及び／又は出力部のみを露出させるときは、第１筐体(１)を保持した状態で、第３筐体(３)に設けられている操作部を操作して、連結機構を動作させる。これによって、第２筐体(２)と第３筐体(３)とが互いに連結されることになる。
そして、第３筐体(３)の表面に指を押し当てて、第３筐体(３)をスライド方向に押圧する。これによって、第２筐体(２)と第３筐体(３)とが一体にスライドし、第１筐体(１)の表面に設けられている入力部及び／又は出力部のみが露出する。
【００１３】
これに対し、第２筐体(２)の表面に設けられている入力部及び／又は出力部のみを露出させるときは、第１筐体(１)を保持した状態で、第３筐体(３)に設けられている操作部を操作することなく、第３筐体(３)の表面に指を押し当てて、第３筐体(３)をスライド方向に押圧する。
これによって、第３筐体(３)はスライド方向の推進力を受けてスライドするが、第１筐体(１)と第２筐体(２)の間のスライドに対する抵抗力は、第２筐体(２)と第３筐体(３)の間のスライドに対する抵抗力よりも大きく、然も第２筐体(２)と第３筐体(３)とは互いの連結が切り離されているため、第３筐体(３)の移動に伴って第２筐体(２)がスライドすることはない。
【００１４】
具体的態様において、前記連結機構は、第３筐体(３)に配備されて第２筐体(２)に対して接近離間する方向に往復移動が可能な押し子(７)と、該押し子(７)を第２筐体(２)から離間させる方向に付勢する付勢手段と、第２筐体(２)の表面に形成されて前記押し子(７)の第２筐体(２)側の端部が係脱可能な係合受け部(21)とから構成され、該押し子(７)の表面は第３筐体(３)の表面に露出して、前記操作部を構成している。
【００１５】
該具体的態様によれば、３つの筐体(１)(２)(３)が互いに最大の重なり面積で重なり合った閉じ状態で、前記付勢手段に抗して押し子(７)の表面を押下することにより、押し子(７)が第２筐体(２)へ向かって移動し、該押し子(７)の端部が第２筐体(２)の係合受け部(21)に係合し、第２筐体(２)と第３筐体(３)とが互いに連結されることになる。
又、押し子(７)の押下を解除すれば、前記付勢手段による付勢によって押し子(７)が第２筐体(２)から離間する方向に移動し、該押し子(７)の端部が第２筐体(２)の係合受け部(21)から離脱し、第２筐体(２)と第３筐体(３)の間の連結が切り離される。
【００１６】
更に具体的な態様において、第１筐体と第２筐体との間に第１のスライド機構が介在すると共に、第２筐体と第３筐体との間に第２のスライド機構が介在し、各スライド機構は、互いにスライド可能に係合する一対のスライド板と、両スライド板の間に介在するバネとから構成され、第１のスライド機構のバネは、第２のスライド機構のバネよりも、大きな弾性係数を有している。
これによって、第１筐体(１)と第２筐体(２)の間のスライドに対する抵抗力が、第２筐体(２)と第３筐体(３)の間のスライドに対する抵抗力よりも大きく設定される。
【発明の効果】
【００１７】
本発明に係るスライド式小型電子機器によれば、第１筐体の表面に設けられている入力部及び／又は出力部と、第２筐体の表面に設けられている入力部及び／又は出力部とを、選択的に露出させる操作が容易となる。
【図面の簡単な説明】
【００１８】
【図１】本発明の一実施形態であるスライド式携帯電話機の閉じ状態を示す斜視図である。
【図２】該スライド式携帯電話機において第３筐体がスライドした状態を示す斜視図である。
【図３】該スライド式携帯電話機において第２筐体及び第３筐体がスライドした状態を示す斜視図である。
【図４】スライド機構の構造と動作を示す平面図である。
【図５】スライド機構の分解斜視図である。
【図６】弾性係数の異なる２種類のバネを示す平面図である。
【図７】閉じ状態における３つの筐体の断面図である。
【図８】図７のＡ部の拡大図である。
【図９】第３筐体のみが開いた状態を示す断面図である。
【図１０】第２筐体と第３筐体が同時に開く過程を示す断面図である。
【図１１】図１０のＢ部の拡大図である。
【図１２】第２筐体と第３筐体が開いた状態を示す断面図である。
【図１３】従来のスライド式携帯電話機の斜視図である。
【発明を実施するための最良の形態】
【００１９】
以下、本発明をスライド式携帯電話機に実施した形態につき、図面に沿って具体的に説明する。
本発明の一実施形態であるスライド式携帯電話機は、図１に示す如く、下段に第１筐体(１)、中段に第２筐体(２)、上段に第３筐体(３)を具え、これら３つの筐体(１)(２)(３)が互いに重なり合うと共に、互いに同一方向に沿うスライドが可能に係合している。
【００２０】
図３に示す様に、第１筐体(１)の表面には文字を入力するための複数の操作キーからなるキーボード(４)が配備されている。又、図２に示す様に、第２筐体(２)の表面には数字を入力するための複数の操作キーからなるテンキー(５)が配備されている。更に、図１に示す様に、第３筐体(３)の表面には画像を出力するための平面型のディスプレイ(６)が配備されている。
【００２１】
第１筐体(１)と第２筐体(２)との間は、図４及び図５に示すスライド機構(８)が介在している。又、第２筐体(２)と第３筐体(３)の間にも、同様の構造を有するスライド機構(８)が介在している。
該スライド機構(８)は、図５に示す如く、互いにスライド可能に係合する第１スライド板(81)と第２スライド板(82)の間に一対のバネ(83)(83)を介在させて構成され、第１スライド板(81)が一方の筐体に連結されると共に、第２スライド板(82)が他方の筐体に連結されている。
【００２２】
従って、第１スライド板(81)に対して第２スライド板(82)が一方向にスライドする過程で、その前半ではバネ(83)が弾性収縮して、その反発によってスライド動作に抵抗力を及ぼし、その後半ではバネ(83)が反転することによって弾性復帰し、その弾性復帰によってスライド動作に付勢力を及ぼすことになる。
【００２３】
ここで、第１筐体(１)と第２筐体(２)の間に介在する第１のスライド機構(８)には、図６(ｂ)に示す如く弾性係数の大なる一対のバネ(83b)(83b)が用いられるのに対し、第２筐体(２)と第３筐体(３)の間に介在する第２のスライド機構(８)には、図６(ａ)に示す如く弾性係数の小なる一対のバネ(83a)(83a)が用いられている。
【００２４】
この結果、図４に示す如く第１スライド板(81)に対して第２スライド板(82)がスライドするとき、第１筐体(１)と第２筐体(２)の間に介在する第１のスライド機構(８)のスライド動作に対する抵抗力は、第２筐体(２)と第３筐体(３)の間に介在する第２のスライド機構(８)のスライド動作に対する抵抗力よりも大きなものとなる。
【００２５】
図１〜図３に示す様に、第３筐体(３)の表面には、３つの筐体(１)(２)(３)が互いに最大の重なり面積で重なり合った閉じ状態で露出することとなる下方端部の隅部に、押し子(７)がその表面を露出させて配備されている。
【００２６】
押し子(７)は、図８に示す様に、第３筐体(３)の表面から裏面へ貫通すると共に第２筐体(２)に対して接近離間する方向の往復移動が可能に配備されており、第３筐体(３)の表面から突出する操作部(72)と、前記往復移動に伴って第３筐体(３)の裏面から出没する係合部(73)とから構成されている。
押し子(７)は、第３筐体(３)に内蔵された弾性部材(71)によって、上方へ向けて付勢されており、操作部(72)が第３筐体(３)の表面から一定の高さ位置まで突出した位置で、第３筐体(３)によって保持されている。
尚、弾性部材(71)としては、例えばラバーや板バネを採用することが出来る。
【００２７】
一方、第２筐体(２)の表面には、第２筐体(２)と第３筐体(３)とが互いに最大の重なり面積で重なり合った閉じ状態で押し子(７)の係合部(73)が係脱すべき係合受け部(21)が凹設されている。
【００２８】
従って、押し子(７)が押下されていない自由状態では、図８の如く係合部(73)は第２筐体(２)の係合受け部(21)から離脱して、第２筐体(２)と第３筐体(３)との連結を解除している。
この状態から、押し子(７)の操作部(72)を押下し、弾性部材(71)に抗して押し子(７)を押し下げると、図１１に示す如く係合部(73)が第２筐体(２)の係合受け部(21)に係合して、第２筐体(２)と第３筐体(３)とを互いに連結する。
【００２９】
上記スライド式携帯電話機によれば、図１及び図７に示す閉じ状態から、図３に示す様に第１筐体(１)の表面に設けられているキーボード(４)のみを露出させるときは、第１筐体(１)を保持した状態で、押し子(７)を押下し、第２筐体(２)と第３筐体(３)とを連結した状態で、第３筐体(３)の表面に指を押し当てて、図１０の如く第２筐体(２)をスライド方向Ｐに押圧する。
これによって、第２筐体(２)が第３筐体(３)と一体となってスライドし、第１筐体(１)の表面に設けられているキーボード(４)のみが露出する。
【００３０】
図１２に示す如く、第２筐体(２)及び第３筐体(３)が開き状態に達すれば、押し子(７)の押下を解除する。これによって、押し子(７)は第２筐体(２)と第３筐体(３)の連結を解除する。
【００３１】
これに対し、図１及び図７に示す閉じ状態から、図２に示す様に第２筐体(２)の表面に設けられているテンキー(５)のみを露出させるときは、第１筐体(１)を保持した状態で、押し子(７)を押下することなく、第３筐体(３)の表面に指を押し当てて、図９の如く第３筐体(３)をスライド方向Ｐに押圧する。
【００３２】
これによって、第３筐体(３)はスライド方向の推進力を受けて開き位置までスライドするが、前述のスライド機構(８)に装備されているバネ(83)の弾性係数の違いによって、第１筐体(１)と第２筐体(２)の間のスライドに対する抵抗力は、第２筐体(２)と第３筐体(３)の間のスライドに対する抵抗力よりも大きいため、第３筐体(３)の移動に伴って第２筐体(２)が開いてしまうことはない。
【００３３】
従って、上記スライド式携帯電話機によれば、第１筐体(１)の表面に設けられているキーボード(４)と、第２筐体(２)の表面に設けられているテンキー(５)とを、選択的に露出させることが可能となる。
【００３４】
又、押し子(７)を押下することなく、図２に示す状態から第２筐体(２)をスライド方向に押圧し、若しくは図３に示す状態から第３筐体(３)をスライド方向に押圧すれば、第１筐体(１)のキーボード(４)と第２筐体(２)のテンキー(５)とを同時に露出させることも可能である。
【００３５】
尚、本発明の各部構成は上記実施の形態に限らず、特許請求の範囲に記載の技術的範囲内で種々の変形が可能である。
例えば、押し子(７)の係合部(73)を第２筐体(２)の係合受け部(21)に係合させる連結機構においては、凹凸の係合に替えて、磁力による連結や摩擦抵抗による連結などを採用することが出来る。
又、第１筐体(１)と第２筐体(２)の間のスライドに対する抵抗力を第２筐体(２)と第３筐体(３)の間のスライドに対する抵抗力よりも大きく設定する方法としては、例えば筐体間の摩擦抵抗を利用することも可能である。
【００３６】
更に、第３筐体(３)の表面にはディスプレイ(６)だけでなく、タッチパネルを設けてもよい。これによって、キーボード(４)やテンキー(５)が露出されていない状態での入力が可能となる。又、第３筐体(３)の側面等、常に露出している領域に操作キーを設けることによって、同様の効果を得ることも可能である。
更に又、第１筐体(１)と第２筐体(２)にはそれぞれキーを配置しているが、これらのキーだけでなく、ディスプレイやタッチパネルを設けることも可能である。これによって、各筐体のキーが露出した状態で、使用者はキーの機能を簡単に切り替え、その切り替え状態を表示した上で操作が可能となる。
【符号の説明】
【００３７】
(１)  第１筐体
(２)  第２筐体
(３)  第３筐体
(４)  キーボード
(５)  テンキー
(６)  ディスプレイ
(７)  押し子
(72)  操作部
(73)  係合部
(71)  弾性部材
(８)  スライド機構
(81)  第１スライド板
(82)  第２スライド板
(83)  バネ
【図１】
2010199960.tif 000003
【図２】
2010199960.tif 000004
【図３】
2010199960.tif 000005
【図４】
2010199960.tif 000006
【図５】
2010199960.tif 000007
【図６】
2010199960.tif 000008
【図７】
2010199960.tif 000009
【図８】
2010199960.tif 000010
【図９】
2010199960.tif 000011
【図１０】
2010199960.tif 000012
【図１１】
2010199960.tif 000013
【図１２】
2010199960.tif 000014
【図１３】
2010199960.tif 000015